(57)【要約】      （修正有）【課題】繊維の外面によって製品の保持力を高めた、睫毛および／または眉毛に塗布するためのアプリケータを提供する。【解決手段】アプリケータは、ステムによって担持され、複数の繊維１１を有するアプリケータ部材を有し、繊維は、複数の部分１３，１５を有し、この複数の部分のうちの少なくとも２つの部分１３，１５は、相異なる材料から作られており、繊維は、断面視で、前記部分１３，１５のうちの１つによって画定される連接ゾーンを有しておらず、（ｉ）相異なる材料から作られている部分１３，１５はそれぞれ、断面視で繊維の外周囲ｐの一部を画定し、または（ｉｉ）相異なる材料から作られている前記部分１３，１５のうちの１つは、断面視で他方の部分を完全に取り囲み、外側に向かって狭くなっている少なくとも１つの領域を有する。【選択図】図９
2020018873.tif 000002
【特許請求の範囲】
【請求項１】
化粧用製品(P)をパッケージングし、塗布するためのデバイス(1)であって、
-  塗布されることになる前記化粧用製品(P)を収容するリザーバ(2)と、
-  前記化粧用製品(P)を塗布するためのアプリケータ(3)と、
を有し、
前記アプリケータ(3)が、ステム(4)によって担持され、複数の繊維(11)を有するアプリケータ部材(5)を有し、前記繊維(11)が、複数の部分(13、15、13a、13b、15a、15b、17、19)を有し、前記複数の部分のうちの少なくとも2つの部分(13、15、13a、13b、15a、15b、17、19)が、相異なる材料から作られており、前記繊維は、断面視で、前記部分(13、15、13a、13b、15a、15b、17、19)のうちの1つによって画定される連接ゾーンを有しておらず、
(i)  相異なる材料から作られている前記部分(13、15、13a、13b、15a、15b、17、19)はそれぞれ、断面視で前記繊維の外周囲pの一部を画定し、または
(ii)  相異なる材料から作られている前記部分(13、15、13a、13b、15a、15b、17、19)のうちの1つは、断面視で他方の部分を完全に取り囲み、外側に向かって狭くなっている少なくとも1つの領域を有する、
デバイス(1)。
【請求項２】
各繊維(11)が、前記部分(13、15、13a、13b、15a、15b、17、19)を2個から8個有し、かつ/または、各繊維(11)が、相異なる材料から作られている部分(13、15、13a、13b、15a、15b、17、19)を2個から8個有し、相異なる材料から作られている前記部分(13、15、13a、13b、15a、15b、17、19)が、好ましくは、同じショア硬度スケールにおいて少なくとも10単位の差、さらに良いのは、少なくとも20単位の差を有する、請求項1に記載のデバイス。
【請求項３】
前記部分(13、15、13a、13b、15a、15b、17、19)が共押出しされ、かつ/または、前記部分(13、15、13a、13b、15a、15b、17、19)が、一定の断面を有し、前記繊維(11)の全長に沿って長手方向に延び、特に前記繊維(11)の全長に沿って連続している、請求項1または2に記載のデバイス。
【請求項４】
前記部分(13、15、13a、13b、15a、15b、17、19)は、それぞれ断面視で、その部分(13; 15; 13a; 13b; 15a; 15b; 17; 19)と、相異なる材料から作られている隣接部分(13; 15; 13a; 13b; 15a; 15b; 17; 19)との接合によって形成される断面の20%から80%の間、さらに良いのは30%から70%の間、なおもさらに良いのは40%から60%の間を占め、かつ/または、相異なる材料から作られている前記部分(13、15、13a、13b、15a、15b、17、19)のうちの2つは、それら部分(13、15、13a、13b、15a、15b、17、19)の接合によって形成されるエリアの周囲(p、p35、p37、p57、p79、p93、pa、pb)の1/16以上、さらに良いのは、1/8以上の長さを有する接触線(S35、S35a、S35b、S37、S57、S79、S39)によって、横断面において分離されている、請求項1から3のいずれか一項に記載のデバイス。
【請求項５】
各繊維(11)が、5以下、さらに良いのは4以下の形状因子L/eを有し、前記形状因子L/eは、前記繊維(11)の最大長Lと、最大長Lの方向に垂直な方向における前記繊維(11)の最大寸法eとの比率によって、断面において定義される、請求項1から4のいずれか一項に記載のデバイス。
【請求項６】
前記繊維(11)は、断面視で、外側に向かって狭くなっている領域を有する、請求項1から5のいずれか一項に記載のデバイス。
【請求項７】
少なくとも2つの分離された部分(13、15、13a、13b、15a、15b、17、19)が、1つの同じ材料から作られている、請求項1から6のいずれか一項に記載のデバイス。
【請求項８】
前記アプリケータ(3)が、金属ストランドによって形成されたコアを有し、前記金属ストランドが、前記金属ストランド自体の上で折り曲げられ撚られており、前記繊維(11)が、前記コアの前記金属ストランド間でクランプ締めされる、請求項1から7のいずれか一項に記載のデバイス。
【請求項９】
請求項1から8のいずれか一項に記載のパッケージングおよび塗布デバイスを用いて、化粧用製品(P)を人間のケラチン物質に塗布するステップを含む化粧方法。
【請求項１０】
繊維(11)の変形を引き起こすようにアプリケータ部材(3)を加熱するステップを含む、請求項1から9のいずれか一項に記載のデバイスを製造するための方法。
【発明の詳細な説明】
【技術分野】
【０００１】
本発明は、化粧用製品をパッケージングし、人間のケラチン物質に塗布するためのデバイス、および化粧方法に関する。
【０００２】
本発明は、より詳細には、アプリケータを有するパッケージングおよび塗布デバイスに関し、このパッケージングおよび塗布デバイスは、製品をケラチン物質、具体的には睫毛および/または眉毛に塗布するための繊維を備えるアプリケータ部材を有する。
【背景技術】
【０００３】
アプリケータ部材が、一緒に撚られて繊維を把持する金属線の2つのアームによって形成されるコアを有する撚り線ブラシと呼ばれるブラシの形態、または実質的に平行な繊維の束を有するバレーンブラシと呼ばれるブラシの形態にある、このタイプのアプリケータが多数知られている。
【０００４】
米国特許出願公開第2002/0034636号、米国特許出願公開第2004/0091704号、および米国特許第6391445号は、口腔または身体の衛生用のブラシに関する。
【０００５】
米国特許出願公開第2002/0034636号には、第1のポリマ、および第1のポリマに薄層として埋め込まれた第2ポリマを含む繊維が開示されている。十分な機械的力の作用の下では、繊維は、第2のポリマによって形成された薄層において複数のフィラメントに分割される。
【０００６】
米国特許出願公開第2004/0091704号には、2つの材料をそれぞれが含む共押出繊維について記載されており、2つの材料のうちの少なくとも1つは、ポリアミドとポリエステルとの混合物を含む。繊維は、繊維の周囲の一部分を画定する第1の材料から作られているコア、および周囲を完成させる、第2の材料から作られているセグメントから成ることができる。
【０００７】
米国特許第6391445号は、プラスチックコアと、輪郭付けされた熱可塑性エラストマから作られているジャケットとをそれぞれが備える繊維に関する。
【０００８】
欧州特許出願公開第EP0933043号は、撚り線ブラシに関する。それらの長さに沿って、繊維は、横断面が連接部(articulation)を画定する少なくとも2つの選択的変形ゾーンを有する。連接部は、2つの狭くなっているゾーンによって、またはより可撓性の材料を含むゾーンによって形成され得る。
【先行技術文献】
【特許文献】
【０００９】
【特許文献１】米国特許出願公開第2002/0034636号
【特許文献２】米国特許出願公開第2004/0091704号
【特許文献３】米国特許第6391445号
【特許文献４】欧州特許出願公開第EP0933043号
【発明の概要】
【発明が解決しようとする課題】
【００１０】
化粧用製品を人間のケラチン物質、より具体的には、ただし限定するものではないが、睫毛および/または眉毛に塗布するためのアプリケータをさらに改良する必要がある。
【課題を解決するための手段】
【００１１】
したがって、本発明の主題は、化粧用製品をパッケージングし、塗布するためのデバイスであり、このデバイスは、
-  塗布されることになる化粧用製品を収容するリザーバと、
-  化粧用製品を塗布するためのアプリケータとを有し、
このアプリケータは、複数の繊維を有するアプリケータ部材を有し、繊維はそれぞれ、複数の部分を有し、この複数の部分のうちの少なくとも2つの部分は相異なる材料から作られており、繊維は、断面視で、前記部分のうちの1つによって画定される連接ゾーンを有しておらず、
(i)  上記部分はそれぞれ、断面視で、繊維の外周囲の一部を画定し、または
(ii)  前記部分のうちの1つは、断面視で、相異なる材料から作られている前記部分のうちの他方の部分を完全に取り囲み、外側に向かって狭くなっている少なくとも1つの領域を有する。
【００１２】
「部分」は、繊維の外面によって、および/または異なる材料から形成される繊維の少なくとも1つの他の部分によって境界決めされる、繊維の単一材料の一部であると理解される。
【００１３】
相異なる材料の部分は、それぞれ断面視で、外周囲の一部を画定するということにより、具体的には、1つの同じ繊維において、相異なる特性、具体的には、化粧用製品の形成に使用される特定の成分に関する相異なる親和性を有することが可能になる。
【００１４】
このことは、繊維による製品の保持力を高め、かつ/またはより多様な製品に対応できるアプリケータを得ることを可能にし得る。
【００１５】
2つの材料は、相異なる熱収縮特性を有することができ、それにより、加熱によって、各繊維に、繊維内の前記部分の配置に依存する曲率を与えることが可能になる。
【００１６】
本発明による繊維の横断面は、繊維が、一緒に撚られている2つの金属ストランド間でクランプ締めされるマスカラブラシを製造するのに使用される場合、特に有利である。この場合、本発明による繊維は、それぞれがストランド間でクランプ締めされるやり方に応じて、相異なる方向に配向される傾向がある。コアのストランド間の繊維の断面の配向はランダムであるので、これにより、ブラシにおける螺旋効果を壊す傾向があり、睫毛および/または眉毛に載せること、ならびに分離させることの観点から、改良された性能を得ることが可能になる。
【００１７】
各繊維は、前記部分を2個から8個有することができる。
【００１８】
各繊維は、相異なる材料から作られている部分を2個から4個有することができる。
【００１９】
前記部分は、共押出しされ得る。
【００２０】
繊維は、円筒形形状を有することができる繊維は、具体的には、§、二重ブレード、正多角形もしくは非正多角形、液滴、入れ子になった円、または星の形状である、円形または非円形の横断面を有することができ、このリストは限定的ではない。
【００２１】
繊維は、断面視で、外側に向かって凹み部を有する場合も、または有していない場合もある。
【００２２】
繊維は、中実の横断面を有することも、または中空の横断面を有することもできる。
【００２３】
前述の部分はそれぞれ、一定の断面を有し、繊維の全長に沿って長手方向に延びることができる。好ましくは、前記部分は、繊維の全長に沿って連続している。これにより、前記繊維を、具体的には共押出によって、製造することがより容易になる。
【００２４】
好ましくは、部分はそれぞれ、プラスチック材料から、具体的には、熱可塑性材料、特に、ポリアミド(PA)、エラストマ、特に、ポリテトラフルオロエチレン(PTFE)、ポリブタジエンテレフタラート(PBT)、ゴム、またはそれらの混合物、具体的には、PA、PBT、ならびにゴム、またはエラストマおよびポリアミドの混合物から作られている。そのような材料は、優れた可撓性特性により、製造が容易な繊維を得ることを可能にする。好ましくは、部分のうちの少なくとも1つは、PTFEから作られている。この材料は、ケラチン繊維において、優れた滑り特性を有する。
【００２５】
好ましくは、相異なる材料から作られている前記部分のうちの少なくとも2つは、同じショア硬度スケールにおいて、少なくとも10単位の差、さらに良いのは少なくとも20単位の差を有する。そのような硬度差は、屈曲方向に応じて、異なる可撓性を有する繊維を得ることを可能にする。
【００２６】
好ましくは、相異なる材料から作られている前記部分は、それぞれ断面視で、その部分と、異なる材料から作られている別の隣接部分との接合によって形成される断面の20%から80%の間、さらに良いのは30%から70%の間、なおもさらに良いのは40%から60%の間を占める。
【００２７】
好ましくは、相異なる材料から作られている隣接部分は、前記2つの隣接部分の接合によって形成されるエリアの周囲の1/16以上、さらに良いのは1/8以上の長さを有する接触線によって、横断面が分離されている。この周囲は、繊維が2つのみの部分を有する場合は、繊維の全周囲に対応し得る。
【００２８】
各部分は、横断面における周囲が、凹み部を有しても、または有していなくともよい。
【００２９】
各部分は、具体的には、楕円形、長円形、正多角形または非正多角形の形状で、実質的に円形または非円形、具体的には、三角形、コンマ形、扇形、星形、腎臓形または西洋梨形である形状を含む横断面を有することができる。
【００３０】
好ましくは、各繊維は、5以下、さらに良いのは4以下の形状因子L/eを有し、形状因子L/eは、繊維の最大長Lと、最大長Lの方向に垂直な方向における繊維の最大寸法eとの比率によって横断面において定義される。
【００３１】
結果として、繊維は、比較的ほとんど平坦化されない。
【００３２】
繊維の、断面における最大幅Lは、0.05mmから0.5mmの間、さらに良いのは、0.1mmから0.3mmの間とすることができる。
【００３３】
最大幅Lに垂直な方向における繊維の最大寸法eは、0.03mmから0.5mmの間、さらに良いのは、0.05mmから0.3mmの間である。
【００３４】
好ましくは、繊維の横断面は、180°未満の角度にわたって回転させたときに、それ自体の像になることはない。
【００３５】
前記部分のうちの少なくとも1つは、断面視で、外側に向かって狭くなっている領域を有することができる。
【００３６】
繊維は、1つの同じ材料から作られている2つの分離した部分を有することができ、これらの2つの部分は、たとえば、正対している。
【００３７】
アプリケータは、少なくとも2つの相異なる種類の繊維を有することができる。
【００３８】
アプリケータは、アプリケータ部材が固定されるステムを有することができる。
【００３９】
本発明は、好ましくは、撚り線ブラシに適用されるが、代替として、アプリケータは、繊維の束を有することができ、繊維は、実質的に互いに平行であり、バレーンタイプのブラシ、または細かいブラシを形成する。この場合、アプリケータのステムは、実質的に繊維に平行な長手方向軸を有することができる。一変形形態においては、撚り線ブラシの場合のように、ステムは、実質的に繊維に対して垂直である。
【００４０】
本発明のさらなる主題は、本発明によるパッケージングおよび塗布デバイスを用いて、化粧用製品を人間のケラチン物質に塗布するステップを含む化粧方法である。
【００４１】
本発明のさらなる主題は、繊維の変形を引き起こすようにアプリケータ部材を加熱するステップを含む、本発明によるパッケージングおよび塗布デバイスを製造するための方法である。
【００４２】
好ましくは、相異なる材料から作られている繊維のそれらの部分は、相異なる熱収縮特性を有する。加熱するステップの間、部分は、異なって収縮し、次いで、繊維はそれぞれ、対応する曲率をとる。
【００４３】
本発明は、その非限定的な例示の実施形態の以下の詳細な説明を読み、添付の図面を検討することにより、より良く理解され得る。
【図面の簡単な説明】
【００４４】
【図１】パッケージングおよび塗布デバイスの一例を概略的に示す図である。
【図２】繊維の変形形態の横断面図である。
【図３】繊維の変形形態の横断面図である。
【図４】繊維の変形形態の横断面図である。
【図５】繊維の変形形態の横断面図である。
【図６】繊維の変形形態の横断面図である。
【図７】繊維の変形形態の横断面図である。
【図８】繊維の変形形態の横断面図である。
【図９】繊維の変形形態の横断面図である。
【図１０】繊維の変形形態の横断面図である。
【図１１】繊維の変形形態の横断面図である。
【図１２】繊維の変形形態の横断面図である。
【図１３】繊維の変形形態の横断面図である。
【図１４】繊維の変形形態の横断面図である。
【図１５】繊維の変形形態の横断面図である。
【図１６】繊維の変形形態の横断面図である。
【図１７】アプリケータの別の例の立面図である。
【発明を実施するための形態】
【００４５】
図1に示されているパッケージングおよび塗布デバイス1は、具体的には、睫毛または眉毛に塗布されることになる化粧用製品P、たとえばマスカラを収容する容器2と、アプリケータ3とを有し、アプリケータ3は、長手方向軸Xのステム4を有し、一方の端部4aにアプリケータ部材5が設けられ、反対側の端部には容器2を閉めるようにも機能する把持部材6が設けられている。容器2は、把持部材6をねじって締めることができるように、外側にねじ山が付けられているネック7を有する。
【００４６】
払拭部材8は、ステム4およびアプリケータ部材5を、それらが容器2から引き出される際に払拭するために、ネック7の内側に固定されている。この払拭部材8は、たとえば、円形の払拭オリフィスを画定する可撓性リップ9を有し、払拭オリフィスの直径は、ステム4の直径に多かれ少なかれ対応する。
【００４７】
もちろん、本発明は特定の払拭部材の使用に限定されず、さらには、払拭部材は、たとえば、波形リップを備えた払拭部材、および/あるいは1つまたは複数のスリットを有する払拭部材が使用されてもよい。
【００４８】
示されている例においては、ステム4は直線状であるが、本発明の範囲から逸脱することなく、湾曲している場合もあり得る。
【００４９】
問題の例においては、アプリケータ部材5は、一緒に撚られている2つの金属ストランド、具体的には、金属線自体の上で折り曲げられた1つの同じ金属線から作られている2つのストランドによって従来の方式で形成される撚りコア10を有する。このコア10は、ステム4の中の筐体における1つの端部に固定され、たとえば、この筐体内に圧力嵌めされる。
【００５０】
アプリケータ部材5は、コア10の撚られた金属ストランド間でクランプ締めされる方式で保持される繊維11を有する。
【００５１】
具体的には、図2においてわかるように、これらの繊維11はそれぞれ、相異なる材料から作られている少なくとも2つの部分13および15を有する。
【００５２】
好ましくは、部分13および15は、プラスチック材料から、好ましくは熱可塑性材料、具体的には、ポリアミド(PA)、エラストマ、ポリブタジエンテレフタラート(PBT)、ゴム、またはそれらの混合物、具体的には、PA、PBT、ならびにゴム、またはエラストマおよびPAの混合物から作られている。
【００５３】
好ましくは、繊維11は、共押出によって形成される。
【００５４】
繊維11の、断面における最大幅L、この場合には直径は、0.1mmから0.3mmの間とすることができる。
【００５５】
図2の例においては、繊維11は、断面が円形形状を有し、部分13および15はそれぞれ、半円形の形態にあり、断面が繊維11の半分を画定する。形状因子L/eは、この場合においては、1に等しい。
【００５６】
断面においては、部分13と15との間の接触線S35は、この場合には繊維11の全周囲に対応する、2つの部分13および15によって形成されるエリアの周囲pの1/8よりも大きいサイズを有するこの場合においては、比率S35/pは、1/πに等しい。
【００５７】
図3における例は、図2における例と異なり、ここでは、2つの相異なる材料から作られている4つの別個のセクタ13a、13b、15a、および15bを有し、それぞれのセクタは、本発明の意味の範囲内で部分を形成し、それぞれは、繊維11の断面の4分の1を占める。正対している部分13aおよび13bは、第1の材料から作られており、同様に、正対している部分15aおよび15bは、第2の材料から作られている。この場合においては、比率S35/pは、1/(π+2)に等しく、pは、この場合には半繊維11の周囲に対応する、2つの隣接部分によって形成されるエリアの周囲である。
【００５８】
図4における例は、図3における例と異なり、ここでは、繊維は、1つの同じ第1の材料から作られている2つの正対している部分13aおよび13bを有し、2つ部分15および17が、第2および第3のそれぞれの材料から作られており、部分13a、13b、15a、および15bはそれぞれ、繊維11の断面の4分の1を占める。
【００５９】
図5における例は、図2における例と異なり、ここでは、繊維11は、相異なる材料から作られている3つの部分13、15、および17を有する。部分13は、繊維11の断面の4分の1をそれぞれが占める他の2つの部分15および17の断面の2倍の断面を有する。比率S35/p35およびS37/p37は、1/(3π/2+2)に等しく、比率S57/p57は、1/(π+2)に等しく、p35は、隣接部分13および15の対によって形成されるエリアの周囲であり、p37は、隣接部分13および17の対によって形成されるエリアの周囲であり、p57は、隣接部分15および17の対によって形成されるエリアの周囲である。
【００６０】
図6における例は、図3における例と異なり、ここでは、繊維11は、繊維11の4分の1をそれぞれが占める、4つのそれぞれの相異なる材料から作られている4つの部分13、15、17、および19を有する。
【００６１】
図7における例は、図6における例と異なり、ここでは、4つの部分13、15、17、および19は、繊維11のうち相異なるサイズを有するセクタを占める。この場合においては、接触線S35、S57、S79、およびS39は、繊維11の横断面の半径に等しい同一の長さである。比率Sij/pijは、相異なる材料から作られている隣接部分の対ごとに異なるが、それぞれ、1/16以下、さらに良いのは、1/8であり、pijは、隣接部分1iおよび1jの対によって形成されるエリアの周囲である。
【００６２】
図8は、液滴(涙)形状の断面を有する繊維11を示しており、これは、第1の材料から作られており、液滴の丸い一部を形成する円形断面を有する第1の部分13と、第2の材料から作られており、断面が実質的に三角形形状を有し、液滴のとがった部分を形成する第2の部分15とを有する。形状因子L/eは、2未満である。断面においては、部分13と15との間の接触線S35は、繊維11の全周囲pの1/8よりも大きいサイズを有する。
【００６３】
図9は、繊維11を示しており、その断面は、入れ子になった円盤の形態にあり、相異なる材料から作られている2つの部分13および15を有する。部分13は、大きい円を形成し、部分15は、部分13の中に入れ子にされた小さい円を形成する。形状因子L/eは、2未満である。断面においては、部分13と15との間の接触線S35は、繊維11の全周囲pの1/8よりも大きいサイズを有する。
【００６４】
図10に示されている例においては、繊維11は、断面が§の全体形状にあり、繊維11は、上部に向かって狭くなっており、右の方を向いた点において終端しており、底部に向かって狭くなっており、左の方を向いた点において終端している。第1の部分13は、§の中央部と、上部とを形成し、部分15は、§の底部を形成する。形状因子L/eは、4未満である。繊維11の外側の輪郭は、その中心軸に対して対称とすることができる。断面においては、部分13と15との間の接触線S35は、繊維11の全周囲pの1/8よりも大きいサイズを有する。
【００６５】
図11における例は、図10における例と異なり、ここでは、第1の部分13は、断面が円形形状を有し、§のコアを形成する。第2の部分15は、第1の部分13の全てをカバーし、断面がその§形状を繊維11に与える。繊維は、その中心軸に対して対称である。
【００６６】
図12は、繊維11を示しており、ここでは、第1の部分13は、円形形状を有する。第2の部分15は、断面が第1の部分13の全てをカバーし、繊維11の中心軸に対して、互いから直径方向に離れた点21を形成する。形状比率L/eは、3未満である。繊維11は、その中心軸に対して対称である。断面においては、部分13と15との間の接触線S35は、繊維11の全周囲pの1/8よりも大きいサイズを有する。
【００６７】
図13における例は、前述の諸図における例と異なり、ここでは、繊維11は、2つの相異なる材料から作られている3つの部分13、15a、および15bを有する。円形断面の部分13は、第1の材料から作られており、部分15aおよび15bは、第2の材料から作られており、それぞれ断面が、実質的に二等辺三角形の形態にある。部分13は、繊維11の中心を形成し、部分15aおよび15bは、繊維11の中心軸に対して互いとは離れて対面し、それらの基部23は、部分13と接触している。断面においては、部分13と15aとの間の接触線S35aは、部分13および15aによって形成される断面の周囲paの1/8よりも大きいサイズを有し、部分13と15bとの間の接触線S35bは、部分13および15bによって形成される断面の周囲pbの1/8よりも大きいサイズを有する。
【００６８】
図14における例は、図4における例と異なり、ここでは、繊維11は、Y形状であり、それぞれ断面が、繊維11の3分の1を占める3つの相異なる材料から作られている3つの部分13、15、および17を有する。各部分13、15、および17は、Yの1つのアームを形成することができる。一変形形態においては、各部分は、Yの2つのアーム上に延びるVを形成することができる。Yの脚は、互いとの間に120°に等しい角度αを形成することが好ましいが、これは、そうである必要はない。接触線S35、S37、およびS57は、それぞれのパラメータP35、P37、およびP57の1/16よりも大きいサイズを有する。比率L/eは、2未満である。
【００６９】
図15における例は、図14における例と異なり、ここでは、繊維は、2つの相異なる材料から作られている2つの部分13および14を有する。第1の部分13は、Yの1つのアームを形成し、第2の部分15は、Yの2つのアームを形成する。一変形形態においては、第1の部分13がV形状であり、第2の部分15がY形状であってもよい。
【００７０】
図16は、断面が、2つの相異なる材料から作られている2つの部分13および15を有する二重ブレードの形態にある繊維11を示している。第1の部分13は、円形形状を有し、繊維11のコアを画定し、第2の部分15は、円形の形態にある中央部で第1の部分を取り囲み、ブレードの形態の端部を有する。端部は狭くなっており、それぞれ断面が、直線30、および外側に向かって凹状である曲線32によって中央部に結合される。凹状曲線32は、第2の部分の中央部の半径以下の曲率半径Rを有する。
【００７１】
一変形形態においては、繊維は、中空であってもよい。
【００７２】
図17は、一方の端部4aにアプリケータ部材5が設けられ、反対側の端部に把持部材6が設けられている、長手方向軸Xのステム4を有するアプリケータを示し、アプリケータ部材5は、本発明による実質的に平行な繊維11の束によって形成される。
【００７３】
本発明は、すぐ上記で説明した例示的な諸実施形態に限定されず、様々な例の特徴が、示されていない変形形態の範囲内で互いに組合せ可能である。
【００７４】
たとえば、ブラシは、繊維のうちの少なくとも一部を変形させるために、熱風送風機に曝すことができる。繊維はまた、高温表面に接触させられ得る。
加熱手段への暴露により、相異なる材料から作られている部分が存在することを理由に、繊維を湾曲させることが可能になる。
【００７５】
「having a(有する)」という表現は、逆の指示がない限り、「comprising at least one(少なくとも1つを含む、備える)」と同義であると理解すべきである。
【符号の説明】
【００７６】
1  パッケージングおよび塗布デバイス
2  容器、リザーバ
3  アプリケータ
4  ステム
4a  端部
5  アプリケータ部材
6  把持部材
7  ネック
8  払拭部材
9  可撓性リップ
10  撚りコア
11  繊維
13、13a、13b、14、15、15a、15b、17、19  部分
13a、13b、15a、15b  セクタ
21  点
23  基部
30  直線
32  曲線
α  角度
e  最大寸法
L  最大長、最大幅
L/e  形状因子
Li、lj  隣接部分
P  化粧用製品
p、pa、pb、P35、P37、p57、pij  周囲
R  曲率半径
S35、S35b、S57、S79、S39  接触線
S35/p、S35/p35、S57/p57、Sij/pij  比率
X  長手方向軸
【図１】
2020018873.tif 000003
【図２】
2020018873.tif 000004
【図３】
2020018873.tif 000005
【図４】
2020018873.tif 000006
【図５】
2020018873.tif 000007
【図６】
2020018873.tif 000008
【図７】
2020018873.tif 000009
【図８】
2020018873.tif 000010
【図９】
2020018873.tif 000011
【図１０】
2020018873.tif 000012
【図１１】
2020018873.tif 000013
【図１２】
2020018873.tif 000014
【図１３】
2020018873.tif 000015
【図１４】
2020018873.tif 000016
【図１５】
2020018873.tif 000017
【図１６】
2020018873.tif 000018
【図１７】
2020018873.tif 000019
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
化粧用製品(P)をパッケージングし、塗布するためのデバイス(1)であって、
-  塗布されることになる前記化粧用製品(P)を収容するリザーバ(2)と、
-  前記化粧用製品(P)を塗布するためのアプリケータ(3)と、
を有し、
前記アプリケータ(3)が、ステム(4)によって担持され、複数の繊維(11)を有するアプリケータ部材(5)を有し、前記繊維(11)が、複数の部分(13、15、13a、13b、15a、15b、17、19)を有し、前記複数の部分のうちの少なくとも2つの部分(13、15、13a、13b、15a、15b、17、19)が、相異なる材料から作られており、前記繊維は、断面視で、前記部分(13、15、13a、13b、15a、15b、17、19)のうちの1つによって画定される連接ゾーンを有しておらず、
(i)  相異なる材料から作られている前記部分(13、15、13a、13b、15a、15b、17、19)はそれぞれ、断面視で前記繊維の外周囲pの一部を画定し、相異なる材料から作られている前記部分(13、15、13a、13b、15a、15b、17、19)が、同じショア硬度スケールにおいて少なくとも10単位の差、さらに良いのは、少なくとも20単位の差を有し、または
(ii)  相異なる材料から作られている前記部分(13、15、13a、13b、15a、15b、17、19)のうちの1つは、断面視で他方の部分を完全に取り囲み、外側に向かって狭くなっている少なくとも1つの領域を有する、
デバイス(1)。
【請求項２】
各繊維(11)が、前記部分(13、15、13a、13b、15a、15b、17、19)を2個から8個有し、かつ/または、各繊維(11)が、相異なる材料から作られている部分(13、15、13a、13b、15a、15b、17、19)を2個から8個有する、請求項1に記載のデバイス。
【請求項３】
前記部分(13、15、13a、13b、15a、15b、17、19)が共押出しされ、かつ/または、前記部分(13、15、13a、13b、15a、15b、17、19)が、一定の断面を有し、前記繊維(11)の全長に沿って長手方向に延び、特に前記繊維(11)の全長に沿って連続している、請求項1または2に記載のデバイス。
【請求項４】
前記部分(13、15、13a、13b、15a、15b、17、19)は、それぞれ断面視で、その部分(13; 15; 13a; 13b; 15a; 15b; 17; 19)と、相異なる材料から作られている隣接部分(13; 15; 13a; 13b; 15a; 15b; 17; 19)との接合によって形成される断面の20%から80%の間、さらに良いのは30%から70%の間、なおもさらに良いのは40%から60%の間を占め、かつ/または、相異なる材料から作られている前記部分(13、15、13a、13b、15a、15b、17、19)のうちの2つは、それら部分(13、15、13a、13b、15a、15b、17、19)の接合によって形成されるエリアの周囲(p、p35、p37、p57、p79、p93、pa、pb)の1/16以上、さらに良いのは、1/8以上の長さを有する接触線(S35、S35a、S35b、S37、S57、S79、S39)によって、横断面において分離されている、請求項1から3のいずれか一項に記載のデバイス。
【請求項５】
各繊維(11)が、5以下、さらに良いのは4以下の形状因子L/eを有し、前記形状因子L/eは、前記繊維(11)の最大長Lと、最大長Lの方向に垂直な方向における前記繊維(11)の最大寸法eとの比率によって、断面において定義される、請求項1から4のいずれか一項に記載のデバイス。
【請求項６】
前記繊維(11)は、断面視で、外側に向かって狭くなっている領域を有する、請求項1から5のいずれか一項に記載のデバイス。
【請求項７】
少なくとも2つの分離された部分(13、15、13a、13b、15a、15b、17、19)が、1つの同じ材料から作られている、請求項1から6のいずれか一項に記載のデバイス。
【請求項８】
前記アプリケータ(3)が、金属ストランドによって形成されたコアを有し、前記金属ストランドが、前記金属ストランド自体の上で折り曲げられ撚られており、前記繊維(11)が、前記コアの前記金属ストランド間でクランプ締めされる、請求項1から7のいずれか一項に記載のデバイス。
【請求項９】
請求項1から8のいずれか一項に記載のパッケージングおよび塗布デバイスを用いて、化粧用製品(P)を人間のケラチン物質に塗布するステップを含む化粧方法。
【請求項１０】
繊維(11)の変形を引き起こすようにアプリケータ部材(3)を加熱するステップを含む、請求項1から9のいずれか一項に記載のデバイスを製造するための方法。
【外国語明細書】
2020018873000001.pdf